(57)【特許請求の範囲】
【請求項１】
分電盤における主幹回路または前記主幹回路から分岐し、少なくともホームネットワーク内の電気機器が接続される複数の分岐回路に流れる電流の計測値をそれぞれの回路ごとに所定期間分記憶する第１の記憶部と、
前記第１の記憶部に記憶した計測値に基づく電流波形により各回路における異常を検出する検出部と、
前記ホームネットワークを介して前記電気機器と接続されるホームゲートウェイ装置が前記電気機器における異常を検出した場合に前記主幹回路または特定の分岐回路の電流の計測値を保存する指示を前記ホームゲートウェイ装置から受信する通信部と、
前記ホームゲートウェイ装置から受信した指示に応じて、前記検出部により検出した異常状態の発生時を基準とする所定の時間帯における異常状態を検出した回路の電流の計測値または電流波形をログ情報として前記第１の記憶部とは異なる記憶領域を有する第２の記憶部に保存する保存処理部と、
を有する電力計測装置。
【請求項２】
分電盤における主幹回路または前記主幹回路から分岐し、少なくともホームネットワーク内の電気機器が接続される複数の分岐回路に流れる電流の計測値をそれぞれの回路ごとに所定期間分第１の記憶部に記憶し、
前記第１の記憶部に記憶した計測値に基づく電流波形により各回路における異常状態を検出し、
前記ホームネットワークを介して前記電気機器と接続されるホームゲートウェイ装置が前記電気機器における異常を検出した場合に前記主幹回路または特定の分岐回路の電流の計測値を保存する指示を前記ホームゲートウェイ装置から受信し、
前記ホームゲートウェイ装置から受信した指示に応じて、前記検出により検出した異常状態が発生した前後の時間帯における異常状態を検出した回路の電流の計測値をログ情報として前記第１の記憶部とは異なる記憶領域を有する第２の記憶部に保存する、
を有する電力管理方法。
【発明の詳細な説明】
【技術分野】
【０００１】
本発明の実施形態は、電力計測装置、電力管理システム、および、電力管理方法に関する。
【背景技術】
【０００２】
従来、トラッキングによる漏電を検出し、漏電を検出した場合に警報を発報する漏電検出装置がある。しかしながら、従来の漏電検出装置では、警報を発報した後で、如何なる状態で異常が発生したかを解析するのは困難である。また、従来の漏電検出装置では、警報を発報した後、検出した漏電に対して危険を回避するための技術的な手法が提案されていない。
【先行技術文献】
【特許文献】
【０００３】
【特許文献１】特開２０１５−３４７００号公報
【特許文献２】特許第４６０１６３１号
【発明の概要】
【発明が解決しようとする課題】
【０００４】
本発明は、検出した異常の解析を容易に行うことができる電力計測装置、電力管理システム、および、電力管理方法を提供することを目的とする。
【課題を解決するための手段】
【０００５】
実施形態によれば、電力計測装置は、第１の記憶部と、検出部と、保存処理部とを有する。第１の記憶部は、分電盤における主幹回路と主幹回路から分岐する複数の分岐回路とに流れる電流の計測値をそれぞれの回路ごとに所定期間分記憶する。検出部は、第１の記憶部に記憶した計測値に基づく電流波形により各分岐回路における異常を検出する。保存処理部は、検出部により異常を検出した場合、検出した異常状態の発生時を基準とする所定の時間帯における電流の計測値をログ情報として第１の記憶部とは異なる記憶領域を有する第２の記憶部に保存する。
【発明の効果】
【０００６】
本発明によれば、検出した異常の解析を容易に行える電力計測装置、電力管理システム、および、電力管理方法を提供できる。
【図面の簡単な説明】
【０００７】
【図１】図１は、第１の実施形態に係る電力管理システムの構成例を示す図である。
【図２】図２は、第１の実施形態に係る分電盤の構成例を示す図である。
【図３】図３は、第１の実施形態に係る電力計測装置の構成例を示すブロック図である。
【図４】図４は、第１の実施形態に係るホームゲートウエイ装置の構成例を示すブロック図である。
【図５】図５は、第１の実施形態に係るサーバの構成例について説明するためのブロック図である。
【図６】図６は、第１の実施形態に係る電力計測装置における電流計測処理の動作例を説明するためのフローチャートである。
【図７】図７は、第１の実施形態に係る電力計装装置におけるログ保存処理の動作例を説明するためのフローチャートである。
【図８】図８は、第１の実施形態に係るホームゲートウエイ装置におけるログの保存指示処理の動作例を説明するためのフローチャートである。
【図９】図９は、第２の実施形態に係る電力管理システムの構成例を示すブロック図である。
【図１０】図１０は、第２の実施形態に係る電力管理システムにおける分電盤の周辺の構成を示す図である。
【図１１】図１１は、第２の実施形態に係る電力計測装置における異常検出処理の動作例を説明するためのフローチャートである。
【図１２】図１２は、第２の実施形態に係るホームゲートウエイ装置による異常報知処理の動作例を説明するためのフローチャートである。
【図１３】図１３は、第２の実施形態に係るホームゲートウエイ装置によるオフ制御処理の動作例を説明するためのフローチャートである。
【発明を実施するための形態】
【０００８】
以下で説明する第１の実施形態に係る電力計測装置（１３）は、第１の記憶部（３５）と制御部（３１）が実現する機能としての検出部（Ｓ２２）と制御部（３１）が実現する機能としての保存処理部（Ｓ２４、Ｓ２６）とを有する。第１の記憶部は、分電盤（１２）における主幹回路（２１）と主幹回路から分岐する複数の分岐回路（２３）とに流れる電流の計測値をそれぞれの回路ごとに所定期間分記憶する。検出部は、第１の記憶部に記憶した計測値に基づく電流波形により各分岐回路における異常を検出する。保存処理部は、検出部により異常を検出した場合、検出した異常状態の発生時を基準とする所定の時間帯における電流の計測値をログ情報として第１の記憶部とは異なる記憶領域を有する第２の記憶部（３６）に保存する。
【０００９】
また、以下に説明する第１の実施形態に係る電力計測装置（１３）は、さらに受信部（３３）を有する。受信部は、外部機器（１１）から主幹回路または特定の分岐回路の電流の計測値を保存する指示を受信する。保存処理部（Ｓ２４）は、外部機器から受信した指示に応じて保存が指示された回路の電流の計測値をログ情報として第２の記憶部に保存する。
【００１０】
また、以下に説明する第１の実施形態に係る電力計測装置（１３）は、さらに通信部（３３）を有する。通信部（３３）は、外部装置（１８）とデータ通信する。第２の記憶部は、外部装置が有する記憶領域である。保存処理部（Ｓ２６）は、通信部によりログ情報とログ情報の第２の記憶部への保存指示とを外部装置へ送信する。
【００１１】
また、以下に説明する第２の実施形態に係る電力管理システム（１０１）は、電力計測装置（１３）と管理装置（１１、１８）とを有する。電力計測装置は、記憶部（３５）と制御部（３１）が実現する機能としての検出部（Ｓ５１）と送信部（３３）とを有する。記憶部は、分電盤（１２）において主幹回路（２１）から分岐する複数の分岐回路（２３）に流れる電流の計測値を分岐回路ごとに所定期間分記憶する。検出部は、記憶部に記憶した計測値に基づく電流波形により各分岐回路における異常状態を検出する。送信部は、検出部により異常状態を検出した分岐回路を示す情報を含む異常通知を管理装置へ送信する。管理装置は、制御部４１又は制御部５１が実現する機能としての報知処理部（Ｓ６６、Ｓ６７）と制御部（Ｓ７１−Ｓ７８）とを有する。報知処理部は、異常通知により異常が検出された分岐回路を特定し、特定した分岐回路又は特定した分岐回路に接続された電気機器を示す特定情報を含む情報を利用者へ報知する。制御部は、利用者が指示する箇所への電力供給をオフする。
【００１２】
また、以下に説明する第２の実施形態に係る電力管理システム（１０１）において、管理装置の制御部（Ｓ７２）は、利用者からの異常が検出された分岐回路に接続された電気機器に対する電源オフの指示に応じて、電源オフが指示された電気機器の電源をオフする。
【００１３】
また、以下に説明する第２の実施形態に係る電力管理システム（１０１）において、管理装置の制御部（Ｓ７４）は、利用者からの分電盤と商用電源（１６）との間に設けられるスマートメータ（１１３）による電源供給の遮断指示に応じて、スマートメータの管理者へスマートメータからの電源供給の停止を要請する。
【００１４】
また、以下に説明する第２の実施形態に係る電力管理システム（１０１）において、管理装置の制御部（Ｓ７６）は、利用者からの異常が検出された分岐回路に接続された開閉器（１１２）に対するオフの指示に応じて開閉器をオフする。
【００１５】
また、以下に説明する第２の実施形態に係る電力管理システム（１０１）は、さらに、遮断回路を有する。遮断回路は、分電盤において主幹回路に設けられた主幹ブレーカ（２２）および各分岐回路にそれぞれ設けられた分岐ブレーカ（２４）の何れかを遮断する。管理装置の制御部（Ｓ７８）は、利用者からの異常が発生した分岐回路の分岐ブレーカ又は主幹ブレーカの遮断の指示に応じて、遮断が指示された分岐ブレーカ又は主幹ブレーカを遮断回路により遮断させる。
【００１６】
また、以下に説明する第１の実施形態に係る電力管理方法は、分電盤における主幹回路と前記主幹回路から分岐する複数の分岐回路とに流れる電流の計測値をそれぞれの回路ごとに所定期間分第１の記憶部に記憶し（Ｓ１２）、第１の記憶部に記憶した計測値に基づく電流波形により各分岐回路における異常状態を検出し（Ｓ２２）、電流波形の異常状態を検出した場合、検出した異常状態が発生した前後の時間帯における電流の計測値をログ情報として第１の記憶部とは異なる記憶領域を有する第２の記憶部に保存する（Ｓ２４）。
【００１７】
また、以下に説明する第１の実施形態に係る電力管理方法は、分電盤において主幹回路から分岐する複数の分岐回路に流れる電流の計測値を分岐回路ごとに所定期間分記憶し（Ｓ１１）、記憶した計測値に基づく電流波形により各分岐回路における異常状態を検出し（Ｓ５１）、異常状態を検出した分岐回路を示す情報を含む異常通知を管理装置へ送信し（Ｓ５４）、管理装置が受信した異常通知により異常が検出された分岐回路を特定し（Ｓ６６）、特定した分岐回路又は特定した分岐回路に接続された電気機器を示す特定情報を含む情報を利用者へ報知し（Ｓ６７）、利用者からの指示に応じて異常が発生した箇所への電力供給をオフする（Ｓ７１−Ｓ７８）。
【００１８】
（第１実施形態）
まず、第１の実施形態に係る電力計測装置および電力管理装置を含む電力管理システムについて説明する。  
電力管理システムは、宅内（又は施設）内に設置されている電気機器の消費電力の可視化したり、制御したりする為のシステムである。電力管理システムは、例えば、ＨＥＭＳ（Home  Energy  Management  System）などを含み、ＨＥＭＳの規格である「ＥＣＨＯＮＥＴ」または「ＥＣＨＯＮＥＴ  Ｌｉｔｅ」などの通信規格に準拠して種々の処理を行う。電力管理システムは、電力計測装置および電力管理装置を含むシステムである。
【００１９】
図１は、第１の実施形態に係る電力管理システム１の構成例を示す図である。  
図１において、電力管理システム１は、ホームゲートウエイ装置１１、分電盤１２、電力計測装置１３、電気機器１４、ユーザ端末１５、外部ネットワーク１７、および、サーバ１８を有する。また、ホームゲートウエイ装置１１、分電盤１２、電力計測装置１３、電気機器１４、および、ユーザ端末１５は、ホームネットワーク２を構成する。
【００２０】
ホームゲートウエイ装置１１、分電盤１２、電力計測装置１３、電気機器１４、ユーザ端末１５は、宅内（又は施設内）に設置される。ホームゲートウエイ装置１１は、ホームネットワーク２により、分電盤１２、電力計測装置１３、電気機器１４、ユーザ端末１５に接続される。また、サーバ１８は、外部ネットワーク１７を介してホームネットワーク２のホームゲートウエイ装置１１に接続される。
【００２１】
ホームゲートウエイ装置１１は、電力管理装置として機能する。ホームゲートウエイ装置１１は、ホームネットワーク２と外部ネットワーク１７とを接続する。ホームゲートウエイ装置１１は、電力計測装置１３、電気機器１４、および、ユーザ端末１５に接続する。ホームゲートウエイ装置１１は、電力計測装置１３から電流の計測値に関する情報を取得する。ホームゲートウエイ装置１１は、各電気機器１４から機器情報を取得する。また、ホームゲートウエイ装置１１は、ユーザ端末１５に情報を提供したり、ユーザ端末１５から操作指示を受け付けたりする。なお、ホームゲートウエイ装置１１は、後述するサーバ１８の機能の一部又は全部を具備するものであっても良い。
【００２２】
分電盤１２は、商用電源１６に接続される主幹回路を複数の分岐回路に分岐させる。各分岐回路には、それぞれ電気機器が接続される。分電盤１２が分岐する各分岐回路は、宅内の各所に設けられる電気機器の電源用のコンセントに接続される。１つの分岐回路には、複数の電気機器が接続可能である。例えば、１つの分岐回路には、合計の電力が所定の電力値以下となる範囲で複数の電気機器が接続可能である。また、分電盤１２は、電力計測装置１３が接続される。分電盤１２の構成例については、後で詳細に説明する。
【００２３】
電力計測装置１３は、電力を計測するためのユニットである。本実施形態に係る電力計測装置１３は、分電盤１２において、主幹回路および各分岐回路を流れる電流の測定値を取得する。電力計測装置１３は、所定時間分の電流の計測値を保持する機能と電流の計測値をログ情報として保存する機能とを有する。また、電力計測装置１３は、電流の計測に基づいて各系統における電流波形と判定する機能を有する。電力計測装置１３は、各系統における電流波形に基づいて異常状態を検出する機能を有する。電力計測装置１３の構成については、後で詳細に説明する。
【００２４】
電気機器１４は、分電盤１２により分岐される複数の分岐回路に設けられる電源用のコンセントに接続される。電気機器１４は、商用電源１６から供給される電源電圧及び電源周波数に対応する機器であれば良く、特定の機器に限定されるものではない。電気機器は、例えば、エアコン、冷蔵庫、洗濯機、ＴＶ、掃除機、照明、給湯器、及び充電器などの種々の電気的負荷である。
【００２５】
電気機器１４には、ＨＥＭＳに対応した電気機器とＨＥＭＳに対応していない電気機器とを含んでも良い。ＨＥＭＳに対応する電気機器１４は、ホームゲートウエイ装置１１と通信する機能を有する。例えば、ＨＥＭＳに対応する電気機器１４は、機器固有の識別情報である機器識別子および自身の動作の状態を示す動作状態などを含む機器情報をホームゲートウエイ装置１１に送信する機能を有する。
【００２６】
ユーザ端末１５は、制御部、記憶部、表示部および操作部などを有する情報機器である。ユーザ端末１５は、種々の画面表示およびユーザによる操作の受け付けを行う。ユーザ端末１５は、例えば、リモートコントローラ、タブレット端末、ＰＣ（Personal  Computer）、携帯電話機、ＰＤＡ（Personal  Data  Assistance）などである。ユーザ端末１５は、無線通信または有線通信によりホームゲートウエイ装置１１と通信する。また、ユーザ端末１５は、外部ネットワーク１７に接続し、外部ネットワーク１７を介してホームゲートウエイ装置１１と通信するものであっても良い。
【００２７】
ユーザ端末１５は、例えば、ホームネットワーク２内の電気機器１４における消費電力のモニタリング、及びホームネットワーク２内の電気機器の制御を行う為のアプリケーションプログラム（以下アプリケーション）を有する。ユーザ端末１５は、ホームゲートウエイ装置１１またはサーバ１８から消費電力を示すデータを受けとり、アプリケーションを用いてホームネットワーク２内の電気機器の消費電力を可視化する為の消費電力確認画面を表示部に表示する。また、ユーザ端末１５は、アプリケーションを用いてホームネットワーク２内の電気機器の制御を行う為の制御画面を表示する。ユーザ端末１５は、制御画面でのユーザによる操作に応じて、ホームネットワーク２内の電気機器を制御する為の制御信号を生成し、ホームゲートウエイ装置１１に送信する。あるいは、ユーザ端末１５は、既存のブラウザ機能を用いて前述のサービスを実現してもよい。たとえば、ホームゲートウエイ装置１１から生成された消費電力確認画面または電気機器の制御画面を受信し、ユーザに表示してもよい。また、ユーザの操作にもとづいて対応する制御命令をホームゲートウエイ装置１１に送信し、ホームゲートウエイ装置１１によって生成された電気機器を制御するための制御信号を電気機器宛てに送信してもよい。
【００２８】
商用電源１６は、各宅内に電力を供給する電源である。商用電源１６は、所定の規格に準じた電力を供給する。例えば、商用電源１６は、所定電圧値および周波数の交流電圧を供給する。  
外部ネットワーク１７は、宅外に設けられたネットワークである。外部ネットワーク１７は、例えば、インターネットまたはイントラネットなどのネットワークであっても良いし、モバイル通信ネットワークを含むネットワークであっても良い。外部ネットワーク１７は、ホームゲートウエイ装置１１を介してホームネットワーク２に接続される。
【００２９】
サーバ１８は、外部ネットワーク１７を介してホームゲートウエイ装置１１に接続される。サーバ１８は、電力管理装置として機能する。サーバ１８は、後述するホームゲートウエイ装置１１の機能および動作を行うようにしても良い。また、サーバ１８の機能の一部又は全部は、ホームゲートウエイ装置１１に設けても良い。
【００３０】
次に、分電盤１２の構成について説明する。  
図２は、分電盤１２の構成例を示す図である。  
分電盤１２は、主幹回路２１および複数の分岐回路２３を有する。主幹回路２１は、主幹ブレーカ２２が接続される。また、複数の分岐回路２３は、それぞれ分岐ブレーカ２４が接続される。
【００３１】
主幹ブレーカ２２及び分岐ブレーカ２４は、例えば二次側（下流側）の回路に過負荷または短絡などにより異常な電流が流れた場合に一次側（上流側）からの電源供給を遮断する。主幹ブレーカ２２は、主幹回路２１と分岐回路２３との分岐点と商用電源１６との間に設けられる。分岐ブレーカ２４は、主幹回路２１と分岐回路２３との分岐点と電気機器１４が接続されるコンセントなどとの間に設けられる。
【００３２】
また、主幹回路２１には、主幹ブレーカ２２を流れる電流値を計測する計器用変流器（ＣＴ：Ｃｕｒｅｅｎｔ  Ｔｒａｎｓｆｏｒｍｅｒ）２５が設けられる。また、各分岐回路２３は、各分岐ブレーカ２４を流れる電流値を計測するＣＴ２５がそれぞれ設けられる。また、分電盤１２内には、電力計測装置１３が設けられる。分電盤１２内において、各ＣＴ２５は、電力計測装置１３に接続される。
【００３３】
次に、電力計測装置１３の構成について説明する。  
図３は、電力計測装置１３の構成例を示すブロック図である。  
図３において、電力計測装置１３は、制御部３１、インターフェース（Ｉ／Ｆ）３２、通信部３３、制御データ記憶部３４、計測データ記憶部３５、および、ログ情報記憶部３６を有する。
【００３４】
制御部３１は、ＣＰＵ等のプロセッサ、プログラムメモリ、ワーキングメモリ及び各種インターフェースなどに構成される。制御部３１は、プロセッサがプログラムメモリに記憶したプログラムを実行することにより、各種の処理機能を実現する。例えば、制御部３１は、各ＣＴ２５が計測する電流値に基づいて、各部（主幹回路、および、各分岐回路）における電流波形をそれぞれ取得する。制御部３１は、対象となる分器回路に接続された各電気機器を流れる電流の波形の合成波として、各分岐回路の電流波形を取得する。制御部３１は、宅内の各電気機器を流れる電流の波形の合成波として主幹回路の電流波形を取得する。
【００３５】
通信部３３は、ホームゲートウエイ装置１１と通信する機能を有する。例えば、通信部３３は、制御部３１が分電盤１２内を流れる電流に異常を検出した場合、ホームゲートウエイ装置１１に異常を通知する。  
インターフェース３２は、主幹回路２１および各分岐回路２３のそれぞれに設けた電流計測器（ＣＴ）２５が接続される。インターフェース３２は、各ＣＴ２５が計測した電流値を取得する。
【００３６】
制御データ記憶部３４は、制御データを記憶する。制御データ記憶部３４は、不揮発性のメモリにより構成される。例えば、制御データ記憶部３４は、電流波形からトラッキングなどの異常な電流波形を検出するための基準データなどを記憶する。また、制御データ記憶部３４は、各種の設定情報を記憶する。
【００３７】
計測データ記憶部３５は、各ＣＴ２５が計測する主幹回路２１及び各分岐回路２３を流れる電流値を所定時間分記憶する。計測データ記憶部３５は、所定期間分のデータを保持できるメモリであれば良く、例えば、ＲＡＭなどにより構成される。
【００３８】
ログ情報記憶部３６は、ログ情報を保存する。ログ情報記憶部３６は、例えば、ログ情報として、ＣＴ２５による電流の計測値とともに計測の対象となった分岐回路を示す情報および計測した時間帯などの情報を記憶する。ログ情報記憶部３６は、書込み可能な不揮発性メモリであれば良く、例えば、半導体メモリあるいはハードディスクドライブ（ＨＤＤ）などにより構成される。
【００３９】
次に、ホームゲートウエイ装置１１の構成について説明する。  
図４は、ホームゲートウエイ装置１１の構成例を示すブロック図である。  
図４において、ホームゲートウエイ装置１１は、制御部４１、記憶部４２および通信部４３を備える。  
制御部４１は、ＣＰＵ等のプロセッサ、プログラムメモリ、ワーキングメモリ及び各種インターフェースなどに構成される。制御部は、プロセッサがプログラムメモリに記憶したプログラムを実行することにより、各種の処理機能を実現する。
【００４０】
記憶部４２は、種々の情報を記憶する。記憶部４２は、書換え可能な不揮発性のメモリを含む。例えば、記憶部４２は、半導体メモリあるいはＨＤＤなどの記憶装置によって構成される。  
通信部４３は、外部ネットワーク１７を介してサーバ１８と通信する。また、通信部４３は、ホームネットワーク２内の電力計測装置１３、各電気機器１４、及びユーザ端末１５と通信する。通信部４３は、無線通信部４３ａと有線通信部４３ｂとを有する。
【００４１】
有線通信部４３ｂは、有線通信を行う各機器に接続されている。例えば、有線通信部４３ｂは、ＬＡＮケーブルが挿入される接続ポート、および通信回路等により構成される。有線通信部４３ｂは、ホームゲートウエイ装置１１を外部ネットワーク１７と通信可能に接続する。  
無線通信部４３ａは、無線通信を行う各機器に通信接続する。例えば、無線通信部４３ａは、ホームゲートウエイ装置１１と電力計測装置１３、各電気機器１４、及びユーザ端末１５と無線通信を行う。無線通信部４３ａは、電波または赤外線などを送受信する送受信機などにより構成される。
【００４２】
また、記憶部４２は、当該ホームネットワーク２内の各電気機器１４に関する情報を示す情報を機器リストとして記憶する。機器リストは、各電気機器１４に対して、機器識別子、動作状態、設置場所および消費電力などの情報を示す。  
機器識別子は、電気機器を特定することができる情報である。機器識別子は、例えば、製品の種類毎に割り振られる型番、型番とＭＡＣアドレスとの組合せ、または型番と任意の文字列との組合せなどで良い。
【００４３】
動作状態は、例えばＥＣＨＯＮＥＴ  Ｌｉｔｅに規定されている電文方式で表現される、電気機器１４の状態を示す情報である。例えば、動作状態は、電気機器の電源がオンであるかオフであるかを示す情報を含む。また、動作状態は、電気機器が異常状態であることを示す情報を含んでも良い。さらに、動作状態は、電気機器の動作モード（例えば、節電運転状態または待機状態など）など種々の運転状態を示す情報を含んでも良い。具体例としては、電気機器がエアコンである場合、動作状態は、冷房、暖房、送風、除湿、設定温度、及び風量などのように、種々の状態を示すものであってもよい。
【００４４】
設置場所は、たとえば分電盤１２により分岐された複数の分岐回路２３のうちの当該電気機器１４が接続されている分岐回路２３を特定することができる情報（例えば、分岐回路番号）を含む。また例えば、設置場所は、リビング、玄関、寝室などの宅内における場所（分岐回路のコンセントが設置された場所）を示す情報を含んでも良い。制御部４１は、ユーザ端末１５からユーザが入力する設置場所を示す情報を取得し、取得した情報に基づいて設置場所を機器リストに設定しても良い。消費電力は、各電気機器が消費する電力を示す。例えば、制御部４１は、電力計測装置１３が計測する計測値に基づいて消費電力を算出する。また、制御部４１は、機器情報に含まれる動作状態に基づいて消費電力を算出しても良い。制御部４１は、サーバ１８から各電気機器の消費電力を示す情報を取得しても良い。
【００４５】
制御部４１は、各電気機器１４から取得する機器情報に基づいて、機器リストを更新する。例えば、制御部４１は、各電気機器１４から取得する機器情報に含まれる機器識別子により電気機器を特定し、特定した各電気機器の動作状態および消費電力を判定する。制御部４１は、各電気機器から受信した機器情報に基づいて判定した動作状態および消費電力を示す情報により機器リストの情報を更新する。
【００４６】
また、制御部４１は、機器リストをユーザ端末１５に送信することにより、消費電力の確認画面あるいは各電気機器の制御操作画面をユーザ端末１５に表示させることができる。また、制御部４１は、消費電力の確認画面及び制御操作画面を生成し、ユーザ端末に送信する構成であってもよい。また、制御部４１は、機器リストをサーバ１８に所定のタイミング（例えば周期的タイミング、または任意のタイミング）で送信しても良い。
【００４７】
次に、サーバ１８の構成について説明する。  
サーバ１８は、ＨＥＭＳに対応した電気機器１４に関する各種情報を管理する。例えば、サーバ１８は、外部ネットワーク１７を介してユーザ端末１５から制御信号を受信した場合に、受信した制御信号をホームゲートウエイ装置１１に送信する。これにより、サーバ１８は、ホームネットワーク２内の電気機器１４を制御することができる。また、サーバ１８は、外部ネットワーク１７を介してホームゲートウエイ装置１１から機器リストを取得し、ユーザ端末１５に送信することができる。これにより、サーバ１８は、消費電力確認画面及び制御画面をユーザ端末１５に表示させることができる。サーバ１８は、ホームゲートウエイ装置１１から取得した機器リストを用いて消費電力の確認画面及び制御画面を生成し、ユーザ端末１５に送信する構成であってもよい。
【００４８】
図５は、サーバ１８の構成例について説明するためのブロック図である。  
図５に示す構成例において、サーバ１８は、制御部５１、記憶部５２、及び通信部５３を備える。  
制御部５１は、ＣＰＵ等のプロセッサ、プログラムメモリ、ワーキングメモリ及び各種インターフェースなどに構成される。制御部は、プロセッサがプログラムメモリに記憶したプログラムを実行することにより、各種の処理機能を実現する。
【００４９】
記憶部５２は、種々の情報を記憶する。記憶部５２は、書換え可能な不揮発性メモリにより構成する。例えば、記憶部５２は、半導体メモリ、ハードディスクドライブなどの記憶装置によって構成される。記憶部５２は、電気機器毎の登録情報を記憶する。  
通信部５３は、外部ネットワーク１７を介してホームゲートウエイ装置１１及びユーザ端末１５と通信を行う。
【００５０】
次に、第１の実施形態に係る電力管理システム１の動作について説明する。  
図６は、第１の実施形態に係る電力計測装置１３における電流計測処理の動作例を説明するためのフローチャートである。  
図６に示すように、電力計測装置１３のインターフェース３２は、主幹回路２１及び各分岐回路２３に設けた各ＣＴ２５が計測する電流値を取得する（ステップＳ１１）。例えば、インターフェース３２は、所定の周期で各ＣＴ２５が計測する電流値を所定期間取得する。計測データ記憶部３５は、インターフェース３２により取得する電流の計測値（計測データ）を保持（蓄積）する（ステップＳ１２）。計測データ記憶部３５は、回路ごとに各ＣＴ２５が計測する少なくとも所定期間分の電流値を保持する。
【００５１】
上述の電流計測処理により、電力計測装置１３の制御部３１は、常時、計測データ記憶部３５が保持する所定期間分の各回路における電流の計測値をモニタリングできる。なお、電力計測装置１３の計測データ記憶部３５が保持する電流の計測値は、ホームゲートウエイ装置１１がモニタリングするようにしても良い。
【００５２】
図７は、第１の実施形態に係る電力計測装置１３におけるログ保存処理の動作例を説明するためのフローチャートである。  
電力計測装置１３の制御部３１は、任意のタイミングでのホームゲートウエイ装置１１からのログの保存指示を受け付けている（ステップＳ２１）。ホームゲートウエイ装置１１からのログの保存指示が無い場合（ステップＳ２１、ＹＥＳ）、制御部３１は、計測データ記憶部３５が保持する電流の計測値に基づく異常判定処理を行う（ステップＳ２２）。例えば、制御部３１は、異常判定処理として、電流の計測値に基づく電流波形によりトラッキングなどの異常状態を検出する。たとえばトラッキング検出の方法は、測定した電流値の時間変化が予め設定された閾値以上である場合、異常であると判定することが考えられる。また、制御部３１は、所定の周期で異常判定処理を実施しても良い。
【００５３】
異常判定処理により電流の計測値から異常を検出した場合（ステップＳ２３、ＹＥＳ）、制御部３１は、異常が検出された回路における異常発生前後の所定時間帯の電流の計測値をログ情報として、ログ情報記憶部３６に保存（記憶）する（ステップＳ２４）。例えば、制御部３１は、異常が発生した時刻および異常が発生した回路などを含む異常内容を示す情報に対応づけて、所定時間帯の電流の計測値であるログ情報をログ情報記憶部３６に保存する。これにより、制御部３１は、計測した電流値に基づく電流波形から異常が検出された場合、異常発生前後の電流の計測値をログ情報として、計測データ記憶部３５とは別の記憶領域であるログ情報記憶部３６に保存できる。
【００５４】
また、制御部３１は、異常が検出された回路における異常発生前後の所定時間帯の電流の計測値を外部機器としてのサーバ１８に保存するか否かを判断する（ステップ２５）。例えば、ログ情報をサーバ１８に保存するか否かは、制御データ記憶部３４に記憶するログ情報の保存に関する設定情報により設定する。また、ログ情報の保存先となる外部機器を示す情報も設定情報により設定しても良い。この場合、制御部３１は、設定情報に基づいてログ情報をサーバ１８に保存するか否かを判断する。
【００５５】
ログ情報をサーバ１８に記憶すると判断した場合（ステップＳ２５、ＹＥＳ）、制御部３１は、ログ情報をサーバ１８に保存させる処理を行う（ステップＳ２６）。例えば、制御部３１は、ホームゲートウエイ装置１１及び外部ネットワーク１７を介してサーバ１８へログ情報の保存要求を送信する。サーバ１８からログ情報の保存可能を示す応答を受信すると、制御部３１は、異常内容を示す情報とともに電流の計測値であるログ情報をサーバ１８へ送信する。これより、電力計測装置１３の制御部３１は、宅外の記憶装置であるサーバ１８にログ情報を記憶させることができる。なお、制御部３１は、ホームゲートウエイ装置１１などのサーバ１８以外の外部機器にログ情報を保存するようにしても良い。
【００５６】
また、ホームゲートウエイ装置１１からログの保存指示を受けた場合（ステップＳ２１、ＮＯ）、電力計測装置１３の制御部３１は、ホームゲートウエイ装置１１からの指示に従ってログ情報を保存する（ステップＳ２４）。例えば、制御部３１は、ホームゲートウエイ装置１１が指示する時間帯の電流の計測値をログ情報として、ログ情報記憶部３６に保存（記憶）する。また、制御部３１は、ログの保存が指示された回路について、保存指示を受けた時間前後の所定時間帯における電流の計測値をログ情報として保存しても良い。
【００５７】
また、サーバ１８へのログの保存指示をホームゲートウエイ装置１１から受信した場合（ステップ２５、ＹＥＳ）、制御部３１は、保存が指示されたログ情報をサーバ１８に保存させる処理を行う（ステップＳ２６）。これより、電力計測装置１３の制御部３１は、ホームゲートウエイ装置１１からの指示に応じてサーバ１８にログ情報を保存させることができる。なお、制御部３１は、ホームゲートウエイ装置１１が指示する保存先にログ情報を保存するようにしても良い。
【００５８】
上記のように、第１の実施形態に係る電力計測装置は、主幹回路及び各分岐回路で計測する電流の計測値に基づく電流波形に異常を検出した場合、異常発生前後の所定時間帯における電流の計測値をログ情報として、電流の計測値を記憶する記憶領域とは別の記憶領域に記憶する。これにより、第１の実施形態に係る電力計測装置によれば、異常発生前後の所定時間帯における電流の計測値をログ情報として保存できる。
【００５９】
また、第１の実施形態に係る電力計測装置は、サーバなどの電力計測装置とは別の外部装置にログ情報を保存させるようにしても良い。これにより、電力計測装置、分電盤、あるいは、宅内全体で異常事態が発生した場合であっても、異常発生時前後の電流の計測値をセーフティに保存でき、異常発生後における電流の計測値をログ情報から確実に確認できる。
【００６０】
次に、第１の実施形態に係るホームゲートウエイ装置１１の動作について説明する。  
図８は、第１の実施形態に係るホームゲートウエイ装置１１におけるログの保存指示処理の動作例を説明するためのフローチャートである。  
ホームゲートウエイ装置１１の制御部４１は、各電気機器１４と通信することにより機器情報を受信する（ステップＳ３１）。ホームゲートウエイ装置１１の制御部４１は、定期的又はイベントが発生するごとに各電気機器１４と通信し、電気機器１４から動作状態を示す情報を含む機器情報を受信する。例えば、制御部４１は、ＨＥＭＳに対応する規格に従って電気機器１４から機器情報を取得するものであっても良い。
【００６１】
電気機器１４から機器情報を受信すると、制御部４１は、受信した機器情報に当該電気機器における異常を示す情報（異常情報）が含まれるか否かを判断する（ステップＳ３２）。受信した機器情報に異常情報が含まれると判断すると（ステップＳ３２、ＹＥＳ）、制御部４１は、当該電気機器１４が接続されている分岐回路を判定する（ステップＳ３３）。例えば、ホームゲートウエイ装置１１の記憶部４２は、各電気機器１４の状態などを示す機器リストを記憶している。制御部４１は、各電気機器１４から随時受信する機器情報により機器リストを更新するとともに、受信した機器情報に異常情報が含まれるか否か判断する。これにより、ある電気機器１４から受信した機器情報に異常情報が含まれると判断した場合、制御部４１は、機器リストにより当該電気機器１４（異常情報を発信した電気器機器）が接続されている分岐回路を示す情報（分岐回路番号）を特定する。
【００６２】
異常情報を発信した電気機器が接続されている分岐回路を特定すると、制御部４１は、特定した分岐回路に流れる電流の計測値をログ情報として保存する旨の指示（ログの保存指示）を電力計測装置１３へ送信する（ステップＳ３４）。言い換えると、制御部４１は、電気機器から受信した機器情報により当該電気機器における異常を検出した場合、電力計測装置１３に対して電流の計測データをログとして保存する指示を送信する。
【００６３】
例えば、ログの保存指示は、電流値の保存対象を示す情報（保存対象となる回路、又は、保存対象とする電流の計測データを示す情報）とログを保存する時間帯を示す情報を含む。保存対象を示す情報は、例えば、分岐回路番号などの分岐回路を特定する情報である。ログを保存する時間帯を示す情報は、異常が発生した時刻を示す情報であっても良いし、ログを保存する時間帯を具体的に示す情報であっても良い。前者の場合は、異常が発生した時刻前後の所定時間帯をログ情報の保存時間帯として良い。
【００６４】
なお、ホームゲートウエイ装置１１は、ユーザ端末１５からログの保存要求を受けた場合にも、ログの保存指示を電力計測装置１３へ送信するようにしても良い。例えば、ユーザ端末１５は、利用者が指定する回路（主幹回路及び各分岐回路の一部又は全部）における電流の計測値をログ情報として保存する指示の入力を受け付ける。利用者がログの保存指示を入力すると、ユーザ端末１５は、利用者の指示に応じてログの保存要求をホームゲートウエイ装置１１へ送信する。ユーザ端末１５からログの保存要求を受信すると、ホームゲートウエイ装置１１の制御部４１は、受信したログの保存要求に応じてログの保存指示を生成し、生成したログの保存指示を電力計測装置１３へ送信するようにすれば良い。
【００６５】
上記のように、第１の実施形態に係る電力管理システムにおいて、ホームゲートウエイ装置は、各電気機器から受信する機器情報により異常を検出した場合、或いは、ユーザ端末からログの保存要求を受信した場合、電力計測装置へログの保存指示を送信する。電力計測装置は、ホームゲートウエイ装置からのログの保存指示に従って指定された回路の電流の計測値をログ情報として保存する。これにより、第１の実施形態に係る電力管理システムによれば、ホームゲートウエイ装置が各電気機器に異常を検出した場合、或いは、ユーザ端末にログの保存要求が入力された場合、指定された電流の計測値をログ情報として保存できる。
【００６６】
（第２実施形態）
次に、第２の実施形態について説明する。  
第２の実施形態は、各分岐回路を流れる電流の計測値から異常を検出した場合、利用者に異常を報知する電力管理システムがある。また、第２の実施形態に係る電力管理システムは、分岐回路を特定する情報、または、分岐回路に接続されている電気機器を示す情報を含む情報を異常の報知として利用者へ提供する。
【００６７】
さらに、第２の実施形態に係る電力管理システムは、異常を報知した利用者からの要求に応じて、異常が検出された電気機器あるいは分岐回路に接続された開閉器をオフしたり、商用電源と分電盤との間に接続されたスマートメータによる宅内への電源供給を遮断させたり、分電盤内の分岐ブレーカ又は主幹ブレーカを遮断したりする。
【００６８】
図９は、第２の実施形態に係る電力管理システム１０１の構成例を示すブロック図である。また、図１０は、第２の実施形態に係る電力管理システム１０１における分電盤１２の周辺の構成を示す図である。  
図９において、電力管理システム１０１は、ホームゲートウエイ装置１１、分電盤１２、電力計測装置１３、電気機器１４、ユーザ端末１５、外部ネットワーク１７、サーバ１８、遮断回路１１１、および、開閉器１１２を有する。さらに、図９において、分電盤１２と商用電源１６との間には、スマートメータ１１３が接続される。なお、図９において、第１の実施形態で説明した図１と同様な箇所には同一符号を付して詳細な説明を省略する。
【００６９】
遮断回路１１１は、分電盤１２内の各ブレーカを遮断させるための回路である。遮断回路１１１は、ホームゲートウエイ装置１１から指示に応じて分電盤１２内のブレーカを遮断する。遮断回路１１１は、図１０に示すように、分電盤１２内の各ブレーカとホームゲートウエイ装置１１に接続される。遮断回路１１１は、分電盤１２内に設けても良いし、分電盤１２の近傍に設けても良い。また、遮断回路１１１は、ブレーカごとに設けても良いし、主幹ブレーカ及び複数の分岐ブレーカのうちの選択したブレーカを遮断させるものであっても良い。なお、ホームゲートウエイ装置１１は、遮断回路１１１に特定のブレーカを遮断させるための制御信号を供給する機能を有する。
【００７０】
各開閉器１１２は、対応する分岐回路２３に流れる電流をオフする機能を有するスイッチである。開閉器１１２は、ホームゲートウエイ装置１１からの制御信号に応じてオフする。例えば、開閉器１１２は、ホームゲートウエイ装置１１からオフを指示する制御信号によりオフし、当該分岐回路に流れる電流を遮断する。なお、ホームゲートウエイ装置１１は、開閉器１１２をオフさせるための制御信号を供給する機能を有する。
【００７１】
スマートメータ１１３は、商用電源１６から宅内に供給する電力を計測する。スマートメータ１１３は、商用電源１６から宅内に供給する電力を停止する機能を有する。例えば、スマートメータ１１３は、電力会社の設備（例えば、電力会社のサーバ）からの制御に従って宅内への電源供給を停止する。なお、運用よっては、ホームゲートウエイ装置１１が直接的にスマートメータ１１３に商用電源１６から宅内への電源供給の停止を制御できるようにしても良い。
【００７２】
なお、第２の実施形態に係るホームゲートウエイ装置１１は、図４に示すようなハードウエア構成で実現できる。ただし、第２の実施形態に係るホームゲートウエイ装置１１は、後述する第２の実施形態としての動作を実現するためのプログラムおよび設定情報などが記憶部４２などの記憶装置に記憶される。これにより、ホームゲートウエイ装置１１の制御部４１は、後述する処理機能を実行する。また、第２の実施形態に係るホームゲートウエイ装置１１が実施する各種の処理は、サーバ１８が実施しても良い。
【００７３】
次に、第２の実施形態に係る電力管理システム１０１の動作について説明する。
【００７４】
図１１は、第２の実施形態に係る電力計測装置１３における異常検出処理の動作例を説明するためのフローチャートである。  
電力計測装置１３では、図６に示すような電流計測処理により主幹回路２１及び各分岐回路２３における電流の計測値を計測データ記憶部３５に蓄積している。この状態において、電力計測装置１３の制御部３１は、所定のタイミングで計測データ記憶部３５が保持する電流の計測データに基づく電流波形による異常判定を行う（ステップＳ５１）。
【００７５】
異常判定によって計測した電流波形に異常を検出した場合（ステップＳ５１、ＹＥＳ）、制御部３１は、異常発生時の前後となる所定の時間帯における、異常が検出された回路の電流の計測値をログ情報として、ログ情報記憶部３６に保存する（ステップＳ５３）。制御部３１は、サーバ１８などに外部装置にログ情報を保存するようにしても良い。
【００７６】
また、計測した電流波形に異常を検出した場合（ステップＳ５１、ＹＥＳ）、制御部３１は、異常が検出された回路を示す回路情報と異常通知情報と含む異常通知をホームゲートウエイ装置１１へ送信する（ステップＳ５４）。回路情報は、例えば、電流波形の異常が検出された主幹回路又は分岐回路を示す回路番号である。また、異常通知情報は、異常の内容を示す情報である。例えば、異常通知情報は、異常と判定した電流波形を示す情報を含んでも良い。
【００７７】
次に、第２の実施形態に係るホームゲートウエイ装置１１の動作について説明する。  
図１２は、第２の実施形態に係るホームゲートウエイ装置１１による異常報知処理の動作例を説明するためのフローチャートである。  
ホームゲートウエイ装置１１では、常時、電力計測装置１３からの異常通知を受信できるようになっている。電力計測装置１３からの異常通知を受信すると（ステップＳ６１、ＹＥＳ）、ホームゲートウエイ装置１１の制御部４１は、受信した異常通知を解析する（ステップＳ６２）。制御部４１は、受信した異常通知に含まれる情報により検出した異常の内容を特定する。また、制御部４１は、制御データ記憶部３４などに記憶されている設定情報に基づいて、異常内容に応じた制御内容を決定する。
【００７８】
すなわち、制御部４１は、異常通知の内容と設定情報とにより、通知された異常に応じて強制的にオフ（強制オフ）することが必要な箇所があるか否かを判断する（ステップＳ６３）。ここで、強制オフとは、利用者からのオンの指示を待たずに異常が検出されたら直ちにオフとする事とする。強制オフは、予め設定されるものであり、異常内容に対応づけて強制オフする箇所を示す情報が設定情報として制御データ記憶部３４に記憶されているものとする。強制オフが必要であると判断した場合（ステップＳ６３、ＹＥＳ）、制御部４１は、強制オフすべき箇所をオフする制御を行う（ステップＳ６４）。なお、各箇所に対するオフの制御は、例えば、後述する図１３のＳ７１−Ｓ７８の処理により実現可能である。
【００７９】
また、制御部４１は、異常通知の内容と設定情報とにより、通知された異常が利用者への報知（異常報知）することが必要な異常であるか否かを判断する（ステップＳ６５）。ここで、異常報知とは、利用者のユーザ端末１５に検出された異常内容などを報知する処理である。例えば、異常報知の内容は、予め設定されるものであり、異常内容に対応づけて異常報知の要否や異常報知先を示す情報（例えば、ユーザ端末１５のアドレス情報、或いは、利用者のメールアドレス）などが予め設定情報として制御データ記憶部３４に記憶されているものとする。
【００８０】
異常報知が必要であると判断した場合（ステップＳ６５、ＹＥＳ）、制御部４１は、異常通知に基づいて、異常が検出された分岐回路又は異常が検出された分岐回路に接続された電気機器を特定する特定情報を判定する（ステップＳ６６）。例えば、制御部４１は、電力計測装置１３から受信した異常通知に含まれる情報により異常が検出された分岐回路（例えば、分岐回路番号）を特定する。制御部４１は、異常が検出された分岐回路を特定すると、当該分岐回路に接続されている電気機器を示す情報（例えば、機器名）を記憶部４２に記憶している機器リストにより特定する。
【００８１】
異常が検出された分岐回路又は異常が検出された分岐回路に接続された電気機器などの特定情報を判定すると、制御部４１は、判定した特定情報を含む異常報知を送信する（ステップＳ６７）。例えば、制御部４１は、異常報知先を設定情報に基づいて特定する。異常報知先を特定すると、制御部４１は、異常が検出された分岐回路或いは当該分岐回路に接続された電気機器などを示す特定情報と異常内容を示す異常通知情報と含む情報を異常報知先へ送信する。
【００８２】
なお、上述した図１２に示す処理は、サーバ１８が実行しても良い。この場合、サーバ１８は、ホームゲートウエイ装置１１を介して電力計測装置１３からの異常通知を受信すればよい。また、サーバ１８は、宅内のユーザ端末１５へ異常報知を行う場合には、ホームゲートウエイ装置１１を介してユーザ端末１５へ異常報知するようにすれば良い。
【００８３】
上記のように、第２の実施形態に係る電力管理システムにおいて、電力計測装置は、各分岐回路を流れる電流の計測値から異常を検出した場合、ホームゲートウエイ装置又はサーバへ異常通知を行う。ホームゲートウエイ装置又はサーバは、電力計測装置からの異常通知に基づいて異常が検出された分岐回路又は異常が検出された分岐回路に接続された電気機器などを示す特定情報を判定し、判定した特定情報を含む異常報知をユーザ端末などの異常通知先へ送信する。これにより、第２の実施形態に係る電力管理システムによれば、分岐回路が流れる電流の計測値に異常が検出された場合、当該分岐回路又は当該分岐回路に接続されている電気機器を示す情報を含む異常報知を利用者に対して提供できる。
【００８４】
図１３は、第２の実施形態に係るホームゲートウエイ装置１１によるオフ制御処理の動作例を説明するためのフローチャートである。  
ホームゲートウエイ装置１１では、常時、ユーザ端末１５からの各部に対する各部に対するオフの指示を受信できるようになっている。ユーザ端末１５からオフの指示を受信すると（ステップＳ７０、ＹＥＳ）、ホームゲートウエイ装置１１の制御部４１は、受信した指示が特定の電気機器の電源をオフする指示を含むかを判断する（ステップＳ７１）。制御部４１は、受信したオフの指示が特定の電気機器の電源をオフする指示を含むと判断した場合（ステップＳ７１、ＹＥＳ）、制御部４１は、オフすることが指示された電気機器を特定し、特定した電気機器をオフする制御を実行する（ステップＳ７２）。例えば、制御部４１は、特定した電気機器に対して電源をオフさせる制御信号を送信することにより、当該電気機器をオフする。
【００８５】
また、ユーザ端末１５からオフの指示を受信した場合（ステップＳ７０、ＹＥＳ）、ホームゲートウエイ装置１１の制御部４１は、受信した指示がスマートメータ１１３からの電源供給を停止させる指示を含むか否かを判断する（ステップＳ７３）。制御部４１は、スマートメータ１１３からの電源供給停止の指示を含むと判断した場合（ステップＳ７３、ＹＥＳ）、制御部４１は、スマートメータ１１３からの電源供給を停止させるために、スマートメータ１１３を管理する電力会社へ電源供給の停止要請を送信する（ステップＳ７４）。例えば、制御部４１は、外部ネットワーク１７を介して電力会社に対して電源供給停止の要請を送信する。
【００８６】
なお、ホームゲートウエイ装置１１がスマートメータ１１３から宅内への電源供給を停止させることができる運用形態である場合、ホームゲートウエイ装置１１の制御部４１は、スマートメータ１１３に対して宅内への電源供給を停止させるようにしても良い。
【００８７】
また、ユーザ端末１５からオフの指示を受信した場合（ステップＳ７０、ＹＥＳ）、ホームゲートウエイ装置１１の制御部４１は、受信した指示が分岐回路２３のオフの指示を含むかを判断する（ステップＳ７５）。制御部４１は、分岐回路２３のオフする指示を含むと判断した場合（ステップＳ７５、ＹＥＳ）、制御部４１は、指定された分岐回路２３をオフする制御を行う（ステップＳ７６）。例えば、制御部４１は、オフが指定された分岐回路２３を特定し、特定した分岐回路２３に設けられている開閉器１１２を特定する。分岐回路２３の開閉器１１２を特定すると、制御部４１は、特定した開閉器１１２へオフの制御信号を送信し、開閉器１１２をオフすることにより分岐回路２３をオフする。
【００８８】
また、ユーザ端末１５からオフの指示を受信した場合（ステップＳ７０、ＹＥＳ）、ホームゲートウエイ装置１１の制御部４１は、受信した指示が特定の回路（主幹回路又は分岐回路）におけるブレーカの遮断の指示を含むかを判断する（ステップＳ７７）。制御部４１は、ブレーカを遮断する指示を含むと判断した場合（ステップＳ７７、ＹＥＳ）、制御部４１は、指定されたブレーカを遮断する制御を行う（ステップＳ７８）。例えば、制御部４１は、遮断が指定されたブレーカを特定し、特定したブレーカを遮断させる制御信号を遮断回路１１１へ供給する。すると、制御部４１からの制御信号を受けた遮断回路１１１は、指定されたブレーカを遮断させる。
【００８９】
なお、上述した図１３に示す処理は、サーバ１８が実行しても良い。この場合、サーバ１８は、外部ネットワーク１７またはホームゲートウエイ装置１１を介してユーザ端末１５からのオフの指示を受信し、ホームゲートウエイ装置１１を介して各部をオフする制御を実行するようにすれば良い。
【００９０】
上記のように、第２の実施形態に係る電力管理システムは、各分岐回路を流れる電流の計測値から異常を検出したことを利用者に報知した後、利用者からの要求に応じて異常が検出された電気機器あるいは分岐回路に接続された開閉器をオフしたり、商用電源と分電盤との間に接続されたスマートメータによる宅内への電源供給を遮断させたり、分電盤内の分岐ブレーカ又は主幹ブレーカを遮断したりする。
【００９１】
これにより、第２の実施形態に係る電力管理システムによれば、異常が検出された電気機器又は分岐回路を特定して利用者に報知でき、利用者からの指示に応じて電気機器または電気機器に電力を供給する電路を遮断することができる。この結果、第２の実施形態に係る電力管理システムによれば、利用者が宅内にいる場合も宅外にいる場合も、分岐回路の電流によって検出された異常を利用者に通知でき、利用者からの異常検出箇所に対するオフ制御の指示を受け付けることができる。
【００９２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９３】
１、１０１…電力管理システム、２…ホームネットワーク、１１…ホームゲートウエイ装置、１２…分電盤、１３…電力計測装置、１４…電気機器、１５…ユーザ端末、１８…サーバ、２１…主幹回路、２２…主幹ブレーカ、２３…分岐回路、２４…分岐ブレーカ、２５…計器用変流器（ＣＴ）、３１…制御部、３２…インターフェース、３３…通信部、３４…制御データ記憶部、３５…計測データ記憶部、３６…ログ情報記憶部、４１…制御部、４２…記憶部、４３…通信部、５１…制御部、５２…記憶部、５３…通信部、１１１…遮断回路、１１２…開閉器、１１３…スマートメータ。
【図１】
0006580881.tif 000002
【図２】
0006580881.tif 000003
【図３】
0006580881.tif 000004
【図４】
0006580881.tif 000005
【図５】
0006580881.tif 000006
【図６】
0006580881.tif 000007
【図７】
0006580881.tif 000008
【図８】
0006580881.tif 000009
【図９】
0006580881.tif 000010
【図１０】
0006580881.tif 000011
【図１１】
0006580881.tif 000012
【図１２】
0006580881.tif 000013
【図１３】
0006580881.tif 000014